【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
磁場発生のための少なくとも１つの超伝導コイルと、
前記超伝導コイル内部に置かれるシャフトに取り付けられている少なくとも１つの回転子と、を含み、
前記タービンを通る電流を流して、シャフト及び回転子に機械的仕事を生み出させるタービン。
【請求項２】
磁場発生のための複数の超伝導コイルを含む本体と、
前記本体内に置かれ、少なくとも１つの回転子が取り付けられている第１のシャフトと、
前記複数の超伝導コイルに隣接して置かれ、前記少なくとも１つの回転子に電気的に連結して、タービンを通る直列回路を形成する第２のシャフトと、を含み、
前記直列回路を通る電流を流して、前記第１のシャフトと回転子に機械的仕事を生み出させるタービン。
【請求項３】
第１の磁場を生み出すための第１の組の超伝導コイルと、
前記組の超伝導コイル内部に置かれ、第１の組の回転子が取り付けられている第１のシャフトと、
前記第１の組のコイルに隣接して置かれる、第２の磁場を生み出すための第２の組の超伝導コイルと、
前記組の超伝導コイル内に置かれ、前記第１の組の回転子に電気的に連結されてタービンを通る直列回路を提供する第２の組の回転子が取り付けられている第２のシャフトと、を含み、
前記直列回路を通る電流を流して、前記シャフトとそれらそれぞれの回転子の組に機械的仕事を生み出させるタービン。
【請求項４】
前記第１の組の回転子の各回転子が、前記第１の組の回転子の各回転子の外周に形成される導電性ストリップと前記第２の組の回転子の各回転子の外周に形成される導電性リングとの接触により、前記第２の組の回転子の隣接する回転子に電気的に連結される、請求項３に記載のタービン。
【請求項５】
前記第１及び第２の組の回転子が交互に、前記第１のシャフトと前記第２のシャフトの間に延びる一連のバスバーにより電気的に連結される、請求項３又は４に記載のタービン。
【請求項６】
磁場を生み出すための第１の組の超伝導コイルと、
前記第１の組の超伝導コイル内部に置かれ、第１の組の回転子が取り付けられている第１のシャフトと、
前記組の超伝導コイル内に置かれ、前記第１の組の回転子に電気的に連結されてタービンを通る直列回路を提供する第２の組の回転子が取り付けられている第２のシャフトと、を含み、
前記直列回路を通る電流を流して、前記シャフトとそれらそれぞれの回転子の組に機械的仕事を生み出させるタービン。
【請求項７】
前記第１の組の回転子の各回転子が、前記第１の組の回転子の各回転子の外周に形成される導電性ストリップと前記第２の組の回転子の各回転子の外周に形成される導電性リングとの接触により、前記第２の組の回転子の隣接する回転子に電気的に連結される、請求項６に記載のタービン。
【請求項８】
前記超伝導コイルが１Ｔ〜２Ｔの磁場を作り出す、請求項１〜７のいずれかに記載のタービン。
【請求項９】
前記コイルが３Ｔ〜５Ｔの磁場を作り出す、請求項１〜７のいずれかに記載のタービン。
【請求項１０】
前記コイルが１．３Ｔ〜１．５Ｔのピーク磁場を作り出す、請求項１〜７のいずれかに記載のタービン。
【請求項１１】
各回転子がハブを有し、このハブは、ハブの周りに放射状に間隔をおいて配置される一連のアームを介してリムに接続される、請求項１〜１０のいずれかに記載のタービン。
【請求項１２】
磁場を生み出すための超伝導材料のコイルと、
前記コイルを出る及び入る前記磁場の方向を変えるための、前記コイルの対向する端部に配置される第１の及び第２の磁束ガイドと、
前記超伝導コイル内部に置かれるシャフトに取り付けられる少なくとも１つの回転子と、を含み、
前記直列回路を通る電流を流して、前記シャフトとそれらそれぞれの回転子の組に機械的仕事を生み出させるタービン。
【請求項１３】
前記第１の及び第２の磁束ガイドが、前記磁場を、前記コイルの端部にほぼ平行に向ける、請求項１２に記載のタービン。
【請求項１４】
磁場を生み出すための超伝導材料のコイルと、
前記コイルを出る及び入る前記磁場の方向を変えるための、前記コイルの対向する端部に置かれる第１の及び第２の磁束ガイドと、
前記超伝導コイル内部に置かれるシャフトに取り付けられ、さらに、１又はそれ以上の電気力学的要素を含む、少なくとも１つの回転子と、を含み、
前記直列回路を通る電流を流して、前記シャフトとそれらそれぞれの回転子の組に機械的仕事を生み出させるタービン。
【請求項１５】
前記電気力学的要素が、前記回転子の外面に配置される高温超伝導材料の形をしている、請求項１４に記載のタービン。
【請求項１６】
前記コイルを出る及び入る前記磁場の方向を変えるための、前記コイルの対向する端部に配置される第１及び第２の磁束ガイドをさらに備える、請求項１４又は１５に記載のタービン。
【請求項１７】
磁場発生のための超伝導材料のコイルと、
前記コイルを出る及び入る前記磁場の方向を変えるための、前記コイルの対向する端部に配置される第１及び第２の磁束ガイドと、
前記超伝導コイルの内部に置かれるシャフトに取り付けられ、さらに、電気動力的要素を含む、少なくとも１つの回転子と、を含み、
前記直列回路を通る電流を流して、前記シャフトとそれらそれぞれの回転子の組に機械的仕事を生み出させるタービン。
【請求項１８】
各回転子が電気力学的要素を含む、請求項１７に記載のタービン。
【請求項１９】
前記第１の組の超伝導コイルの対向する端部に配置される第１の対の磁束ガイドと、前記第２の組の超伝導コイルの対向する端部に配置される第２の対の磁束ガイドとをさらに備え、前記第１及び第２の対の磁束ガイドが、前記コイルを出る及び入る前記磁場の方向を変える、請求項３〜７、１７及び１８のいずれかに記載のタービン。
【請求項２０】
前記コイルを出る及び入る前記磁場の方向を変えるための、前記コイルの対向する端部に配置される第１及び第２の磁束ガイドをさらに備える請求項１９に記載のタービン。
【請求項２１】
ハウジングと、
前記ハウジング内部に取り付けられる駆動アセンブリと、を含むモータであって、
前記駆動アセンブリは、
極低温エンベロープが中に配置される極低温体と、
前記極低温体の内部で、且つ前記極低温エンベロープの外部に置かれる回転子アセンブリと、
磁場を作り出すための少なくとも１つの超伝導コイルと、を含み、
前記回転子アセンブリは、駆動シャフト上に配置される１又はそれ以上の回転子を含み、前記１又はそれ以上の回転子は、前記回転子アセンブリを通る直列回路を形成するように配置され、
前記超伝導コイルは、前記極低温エンベロープ内部に保持され、
前記直列回路を通る電流を流して、前記１又はそれ以上の回転子及び前記シャフトに機械的仕事を生み出させるモータ。
【請求項２２】
前記回転子間の直列接続が、隣接する回転子間に配置される一連の電流伝達機構により促進される、請求項２１に記載のモータ。
【請求項２３】
磁場を作り出すための複数の超伝導コイルを含む請求項２１又は２２に記載のモータ。
【請求項２４】
前記複数の超伝導コイルを、ゼロ磁場の領域を作り出すように配置し、前記ブラシを前記ゼロ磁場内に置く、請求項２３に記載のモータ。
【請求項２５】
ハウジングと、
前記ハウジング内部に取り付けられる駆動アセンブリであって、
極低温エンベロープが中に配置される極低温体と、
前記極低温体の内部で、且つ前記極低温エンベロープの外部に配置され、駆動シャフト上に配置される１又はそれ以上の回転子を有する回転子アセンブリと、
磁場を作り出すための、前記極低温エンベロープ内部に保持される、少なくとも１つの超伝導コイルと、を有する駆動アセンブリと、
モータを通る並列回路を形成するように前記回転子を共に連結する電流伝達メカニズムと、を含むモータであって、
前記並列回路を通る電流を流して、前記１又はそれ以上の回転子及び前記シャフトに機械的仕事を生み出させるモータ。
【請求項２６】
磁場を作り出すための複数の超伝導コイルを含む、請求項２５に記載のモータ。
【請求項２７】
前記複数の超伝導コイルが、ゼロ磁場の領域を作り出すように配置され、前記電流伝達機構の少なくとも一部が前記ゼロ磁場の領域内部に保持される、請求項２６に記載のモータ。